(57)【要約】      （修正有）【課題】通常時は室内の各所に複数個設置しても邪魔にならないティッシュボックス収納箱として使用し、災害時は十分な強度を有する防災具として使用できる、防災具兼ティッシュボックス収納箱を提供する。【解決手段】ティッシュボックス収納箱１の略長方形からなる底面部と底面部の両端側縁部から上方に延設され対向する一対の側面部２３とが一体に形成された本体部と、底面部の対向する前縁部近傍と後縁部近傍とに着脱自在に配設された前面部３１と後面部と、ティッシュボックス収納箱の上部に上部開口部を閉塞するように装着されティッシュ取出し窓部５３を有する蓋部５と、非常用小物とティッシュボックスとを収納する収納部５５とからなり、非常時には本体部が頭部を保護する簡易ヘルメットと、前面部３１と後面部とは足を保護する防災スリッパとして使用し得るよう構成する。【選択図】図１
2019166261.tif 000002
【特許請求の範囲】
【請求項１】
ティッシュペーパーを梱包し上面に取出し口を有する直方体形状のティッシュボックスを収納するティッシュボックス収納箱であって、該ティッシュボックス収納箱の略長方形から成る底面部と該底面部の側縁部から上方に延設され対向する一対の側面部とが一体に形成された本体部と、前記底面部の前記側縁部と直交する方向において対向する前縁部近傍と後縁部近傍とに着脱自在に配設された其々前面部と後面部と、前記ティッシュボックス収納箱の上部に開口部を閉塞するように装着されティッシュ取出し窓部を有する蓋部とから成り、非常時には前記本体部が頭部を保護する簡易ヘルメットと、前記前面部と前記後面部とが足を保護する防災スリッパとして使用し得ることを特徴とする防災具兼ティッシュボックス収納箱。
【請求項２】
前記本体部は、前記底面部の内側および前記側面部の内側所要位置に頭部を保護する衝撃吸収材と、前記本体部を頭部に安定的に固定する顎紐と、前記底面部の外側に開閉自在な鍔部とで構成されていることを特徴とする請求項１に記載の防災具兼ティッシュボックス収納箱。
【請求項３】
前記鍔部を閉塞した状態で使用できる所要位置に書類収納部を有し、また、前記鍔部を開放した状態の上面側所要位置に照明用固定具を有することを特徴とする請求項２に記載の防災具兼ティッシュボックス収納箱。
【請求項４】
前記前面部及び前記後面部の内側に、足の裏に当接するクッション部と、該クッション部のうち前方側に設けられて足の甲近傍を保持する甲保持部と、足の踵近傍を保持する踵保持バンド部とを備え、前記防災具兼ティッシュボックス収納箱から前記前面部と前記後面部とを取り外した状態では、前記前面部と前記後面部とが前記クッション部より広範囲の面積を有する底板部を構成すると共に、前記底板部の前記クッション部とは反対側の面に滑り止め部を有することを特徴とする請求項１に記載の防災具兼ティッシュボックス収納箱。
【請求項５】
前記底板部は足を危険物から保護し得る硬質材料からなり、前記踵保持バンド部は弾性伸縮自在の材料からなることを特徴とする請求項４に記載の防災具兼ティッシュボックス収納箱。
【発明の詳細な説明】
【技術分野】
【０００１】
本発明は、防災具兼ティッシュボックス収納箱に関し、詳しくは、地震や火災などの災害時に避難する為の用具などを無理なく収納できるティッシュボックス収納箱に関するものである。
【背景技術】
【０００２】
地震や火災などの災害時に避難行動をする際には、被災者の頭部を上空からの落下物から守るための防災具と、瓦礫で足を怪我から守るための履物などが必要となる。
【０００３】
このような問題に対して特許文献１には、就寝時に瞬時に防災頭巾と履物として利用可能な、防災頭巾と履物を内在した防災枕が開示されている。
【先行技術文献】
【特許文献】
【０００４】
【特許文献１】登録実用新案第３０１５５０２号公報
【発明の概要】
【発明が解決しようとする課題】
【０００５】
しかし、特許文献１に記載の防災枕では、就寝時にしか身近に配置されていない問題や、通常時は枕としても使用することから、布製などの柔軟素材で作成されており、災害時の防災具としては強度が不足するという問題もあった。
【０００６】
本発明は、上記課題を鑑みてなされたものであり、通常時は室内の各所に複数個設置しティッシュボックス収納箱として使用し、災害時は十分な強度を有する防災具として使用することができる、防災具兼ティッシュボックス収納箱を提供することを目的とする。
【課題を解決するための手段】
【０００７】
本発明は、上記目的を達成するために案出されたものである。詳述するならば、ティッシュペーパーを梱包し上面に取出し口を有する直方体形状のティッシュボックスを収納するティッシュボックス収納箱であって、該ティッシュボックス収納箱の略長方形から成る底面部と該底面部の長さ方向の両端側縁部から上方に延設され対向する一対の側面部とが一体に形成された本体部と、前記底面部の前記両端側縁部と直交する方向の対向する前縁部近傍と後縁部近傍とに着脱自在に配設された前面部と後面部と、前記ティッシュボックス収納箱の上部に上部開口部を閉塞するように装着されティッシュ取出し窓部を有する蓋部と、非常用小物とティッシュボックスとを収納する収納部とからなり、非常時には前記本体部が頭部を保護する簡易ヘルメットと、前記前面部と前記後面部とが足を保護する防災スリッパとして使用し得るよう構成されているものが含まれる。
【０００８】
本発明の防災具兼ティッシュボックス収納箱は、通常時はティッシュボックス収納箱として使用することで室内に複数個設置しても邪魔にならないこと、また、災害時は室内各所に設置してあることで身近にあるもので防災具として使用できる効果がある。
【０００９】
本発明には、前記本体部が頭部を保護し得る硬質材料からなり、前記底面部の内側及び前記側面部の内側所要位置に頭部を保護する衝撃吸収材を有し、前記本体部を頭部に安定的に固定する弾性伸縮自在の顎紐と、前記底面部の外側に開閉自在な鍔部とで構成されているものが含まれる。
【００１０】
本発明の防災具兼ティッシュボックス収納箱は、頭部を保護する簡易ヘルメットとして使用できる強度性能と共に、頭部の大きさに略影響を受けずに使用できる共用性能がある。
【００１１】
本発明には、前記鍔部を閉塞した状態で書類などを収納できる所要位置に書類収納部を有し、また、前記鍔部を開放した状態の上面側所要位置に照明固定具を有する構成が含まれる。
【００１２】
本発明の防災具兼ティッシュボックス収納箱は、通常時に書類、常備薬、通帳及び、メモなどを収納できると共に、夜間の非常時においては、鍔部に照明具を固定できることで、避難時に照明具を把持する必要がなく、手が自由に使える効果がある。
【００１３】
本発明には、前記ティッシュボックス収納箱を組み立てた状態において、前記前面部及び前記後面部の内側に足の裏に当接するクッション部と、該クッション部のうち前方側に設けられて足の甲近傍を保持する甲保持部と、足の踵近傍を保持する踵保持バンド部とを備え、前記ティッシュボックス収納箱から前記前面部と前記後面部とを取り外した状態では、前記前面部と前記後面部とが前記クッション部より広範囲の面積を有する底板部を構成すると共に、前記底板部の前記クッション部とは反対側の面に滑り止め部を有する構成が含まれる。
【００１４】
本発明の防災具兼ティッシュボックス収納箱は、災害時に足を保護する防災用スリッパとして使用でき、クッション部より広範囲の面積を有する底板部を有することで、足のサイズが大きい人であっても使用できる効果がある。
【００１５】
本発明には、前記底板部が足を危険物から保護し得る硬質材料からなり、前記踵保持バンド部が弾性伸縮自在の材料からなる構成が含まれる。
【００１６】
本発明の防災具兼ティッシュボックス収納箱は、足のサイズに影響を受けにくく、多くの人が使用可能であり、災害時に室内から避難する際などに足を怪我することを防止できる効果がある。
【発明の効果】
【００１７】
本発明の防災具兼ティッシュボックス収納箱は、通常時は組み立てた状態でティッシュボックス収納箱として室内の各所に複数個設置しても邪魔にならないと共に、災害時は身近に設置してあるので直ぐに分解して、十分な強度を有する防災具として使用でき、また、簡易タイプであるために経済的負担も少ない効果がある。
【図面の簡単な説明】
【００１８】
【図１】本発明に係る防災具兼ティッシュボックス収納箱を組み立てた状態を示す斜視図である。
【図２】図１に係る防災具兼ティッシュボックス収納箱を展開した状態を示す平面図である。
【図３】図２に係る本体部を頭部に装着した状態を示す正面図である。
【図４】図２に係る本体部を頭部に装着した状態を示す側面図である。
【図５】図２に係る本体部の鍔部を開いた状態を示す底面図である。
【図６】図５に係る鍔部を閉じた状態を示す底面図である。
【発明を実施するための形態】
【００１９】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、防災具兼ティッシュボックス収納箱を組み立てた状態で内部側を内側、外部側を外側といい、また、特に指定しない場合は、組み立てた状態を基準に高さ方向、長さ方向、幅方向といい、さらに、幅方向と平行な向きを前後方向ということとする。
【００２０】
（実施形態）
図１に示されるのは、通常時における防災具兼ティッシュボックス収納箱１であり、ティッシュペーパーを梱包し上面に取出し口を有する直方体形状のティッシュボックス（図示せず）や非常時に使用する小物を収納し得る収納部を有するティッシュボックス収納箱として使用するために組み立てた状態を示している。
【００２１】
また、図２に示されるのは、非常時における防災具兼ティッシュボックス収納箱１であり、本体部２、前面部３１、後面部４１及び蓋部５を取り外し、防災具として使用できる状態を示している。
【００２２】
（本体部）
本体部２は、略長方形から成る底面部２１とその底面部２１の長さ方向の両端側縁部２２から上方に延設され対向する一対の側面部２３，２３とが一体に形成されている。
また、底面部２１の内側及び側面部２３，２３の内側所要位置に頭部を保護する衝撃吸収材２４，２５が配設され、底面部２１の内側所要の位置に本体部２を頭部に安定的に固定する弾性伸縮自在の顎紐２６が付設され、非常時には簡易ヘルメット２Ａとして使用できる構成に形成されている。
【００２３】
側面部２３，２３の内側面の幅方向の両端縁部近傍に、高さ方向に平行な向きの全長に亘って、前面部３１及び後面部４１の其々の長さ方向の両端部３２，４２と嵌合し、前面部３１及び後面部４１を着脱可能とし得る条溝２７，２８が形成されている。
【００２４】
さらに、図５及び図６に示されるように、底面部２１の外側には開閉自在で底面視略台形形状からなる鍔部６が形成され、また、底面部２１の外側所要位置に鍔部６を閉塞した状態で書類、常備薬や通帳などを収納できる略矩形形状の書類収納部６４が形成され、鍔部６を開放した状態の外側所要位置に弾性伸縮自在の材料からなる帯形状の照明固定具６３が配設されている。
【００２５】
鍔部６の下底部６６近傍の外側面と底面部２１の外側面とに渡って貼設され開閉支持部材となる連結帯片６５と、鍔部６の上底部６７近傍の内側面及び、それに重合する底面部２１の外側面所要の位置に、鍔部６を閉塞状態に保ち得る係止部６１，６２が付設されている。
【００２６】
（前面部及び後面部）
通常時における防災具兼ティッシュボックス収納箱１を組立てた時は、前面部３１及び後面部４１は本体部２と共に収納箱の収納部５５を構成し、非常時における防災具として使用する時は、防災スリッパ３，４の底板部３Ａ，４Ａを構成するように形成されている。
【００２７】
防災スリッパ３，４は、使用する状態において使用者の足裏に当接するクッション部３３，４３と、そのクッション部３３，４３の前方側に設けられて足の甲近傍を保持する甲保持部３４，４４と、足の踵近傍を保持する弾性伸縮自在の材料からなる帯形状の踵保持バンド部３５，４５と、クッション部３３，４３の下面側にクッション部３３，４３より広範囲の面積を有する底板部３Ａ，４Ａと、底板部３Ａ，４Ａのクッション部３３，４３とは反対側の面に滑り止め部３６とが形成されている。
【００２８】
（蓋部）
図１、図２又は図４に示されるように、蓋部５は通常時にティッシュボックス収納箱として使用する場合は、ティッシュボックス収納箱に防災用小物やティッシュボックスを収納した後に蓋部５として使用し、非常時には本体部２の条溝２７，２７に蓋部５の長さ方向の蓋端部５２，５２を嵌合し、使用者の後頭部を保護する後頭保護部５Ａとして使用できるように形成されている。
【００２９】
また、蓋部５は、略長方形状の略中央部近傍所要位置に、ティッシュ取出し窓部５３が形成され、さらに、蓋部５の内側面で、両方の蓋端部５２，５２の近傍所要位置に、其々ストッパー部５４，５４が形成されている。
【００３０】
側面部２３，２３、底面部２１、鍔部６、蓋部５、前面部３１及び後面部４１の素材としては、合板材や合成樹脂、特に繊維強化プラスチックや金属などの高い剛性と緩衝性を有する素材を使用し、製造方法としては、切削加工、プレス成型などで形成すれば良い。
【００３１】
また、衝撃吸収材２４，２５は、発泡スチロール、発泡ポリエチレン、ウレタン系のスポンジ、ゴム系のスポンジなどが使用され、成形後に側面部２３，２３や底面部２１の内側に接着や両面テープで固定する。
さらに、連結帯片６５は、皮や布素材に接着剤を塗布したものなどを使用し、係止部６１，６２は面ファスナーや板状の磁性体を接着や両面テープで固定すれば良い。
【００３２】
防災スリッパ３，４の素材としては、クッション部３３，４３は発泡性弾性樹脂の表面をパイル地等の表皮で被覆し、甲保持部３４，４４もパイル生地や合成樹脂などで形成し、踵保持バンド部３５，４５は帯状のゴムバンドで形成し、滑り止め部３６はエストラマーで多条溝を形成したシートや、プラスチックフイルムの表面に鉱物粒子を張り付けたものなどを接着し形成する。
【実施例】
【００３３】
以下、本発明の実施例について説明するが、本発明は、以下の実施例に限定されるものではなく、発明の要旨の範囲内で適宜変更して実施できる。
【００３４】
本発明の防災具兼ティッシュボックス収納箱１を実施するには、図１に示されるティッシュボックス収納箱を組み立てた状態で各部の寸法を以下の様に設定する。
具体的には、防災具兼ティッシュボックス収納箱１の全長を２７５ｍｍとし、全高は１５５ｍｍとし、幅は１６０ｍｍとした。また、側面部２３，２３、底面部２１、蓋部５、前面部３１及び後面部４１の厚みは４ｍｍの合板材を使用した。
【００３５】
このような寸法で形成することで、収納部に非常時に有効となる小型照明、手袋、笛、飴等の小物と、全長２２７ｍｍ、高さ４５ｍｍ、幅１１７ｍｍのティッシュボックスが収納可能となる。
【００３６】
以上本実施形態と実施例の防災具兼ティッシュボックス収納箱は、通常時は組み立てた状態でティッシュボックス収納箱として、室内の各所に複数個設置しても邪魔にならないと共に、災害時は身近に設置してあるので直ぐに分解して、十分な強度を有する防災具として使用でき、また、組立に際し特別な工具等も必要なく手軽であり、さらに、簡易タイプである為に経済的負担も少ない効果がある。
【００３７】
また、簡易ヘルメット２Ａ及び防災スリッパ３，４いずれも、固定方法として弾性伸縮自在の材料からなる帯形状の踵保持バンド部３５，４５や顎紐２６が使用されていることから、使用者の足のサイズ及び頭のサイズに影響を受けにくく、多くの人が使用可能となる利点がある。
【００３８】
以上のように、本発明を実施するための最良の構成、方法等は、前記記載で開示されているが、本発明はこれに限定されるものではない。
例えば、上記実施形態や実施例では、照明固定具６３を弾性伸縮自在の材料からなる帯形状で形成していたが、それに限定するものではなく、例えば、照明器具が嵌合可能で着脱自在な樹脂製のブラケットで形成しても良い。
【００３９】
また、上記実施形態や実施例では、防災具兼ティッシュボックス収納箱は略長方体形状で形成したが、それに限定するものではなく、例えば、四隅を曲線的に面取り加工し形成しても良く、特に形状を限定するものではない。
【符号の説明】
【００４０】
１    防災具兼ティッシュボックス収納箱
２    本体部
２Ａ    簡易ヘルメット
２１    底面部
２２    両端側縁部
２３    側面部
２４，２５    衝撃吸収材
２６    顎紐
２７，２８    条溝
３，４    防災スリッパ
３１    前面部
３Ａ，４Ａ    底板部
３２，４２    両端部
３３，４３    クッション部
３４，４４    甲保持部
３５，４５    踵保持バンド部
３６    滑り止め部
４１    後面部
５    蓋部
５Ａ    後頭保護部
５２    蓋端部
５３    ティッシュ取出し窓部
５４    ストッパー部
５５    収納部
６    鍔部
６１，６２    係止部
６３    照明固定具
６４    書類収納部
６５    連結帯片
６６    下底部
６７    上底部
６２    嵌合孔
８０    照明具
【図１】
2019166261.tif 000003
【図２】
2019166261.tif 000004
【図３】
2019166261.tif 000005
【図４】
2019166261.tif 000006
【図５】
2019166261.tif 000007
【図６】
2019166261.tif 000008